(57)【要約】      （修正有）【課題】抗菌・消臭効果が奏され、人の肌や、首筋、瞼に触れさせ、また、肩枕として使用したときに、心地好い肌触りが得られる竹繊維製リラクゼーション用袋体を提供する。【解決手段】竹を主成分とする布帛からなる収納袋１０、並びに収納袋に収納された、粉状とした竹粉および米からなる竹繊維製リラクゼーション用袋体１が提供される。収納袋が人の肌に触れたときに、収納袋に収納された竹粉や米の粒々により適度の刺激が与えられ、気持ちよく感じられる。【選択図】図１
0003185667.tif 000002
【実用新案登録請求の範囲】
【請求項１】
竹を主成分とする収納袋、並びに該収納袋に収納された、竹粉および米からなることを特徴とする竹繊維製リラクゼーション用袋体。
【請求項２】
前記米が煎った玄米であることを特徴とする請求項１に記載の竹繊維製リラクゼーション用袋体。
【請求項３】
前記竹粉が粉状としたものを焙煎したものであることを特徴とする請求項１または請求項２に記載の竹繊維製リラクゼーション用袋体。
【考案の詳細な説明】
【技術分野】
【０００１】
本考案は竹繊維製リラクゼーション用袋体に関する。より詳しくは、本考案は、電子レンジや蒸し器等で加熱し、または、冷蔵庫等で冷却して、人の肌や、首筋、瞼に触れさせ、また、肩枕として使用する竹繊維製リラクゼーション用袋体に関する。
【背景技術】
【０００２】
従来から、通気性を有するコットン布製の袋体内に、ラベンダー、ローズ、カモミール等の乾燥させた天然のハーブ、若しくはスパイス、またはハーブおよびスパイス（以下、ハーブ類という）を収容し、袋体の入り口を紐等で縛るようにしたものがハーブボール（薬草玉）として知られている。
【０００３】
全身を揉みほぐしながら、あるいはほぐした後に、電子レンジや蒸し器等で加熱した、温かいハーブボールを人体（肌や関節）に直接押し当てて、温熱効果と天然ハーブの効能で、肌等の血行や発汗を促進し、優しい香りでリラックスさせて全身の血行を促しケアすることが行われている。
【０００４】
これらのハーブボールは、そこに収容したハーブ類の香りを楽しむことを主目的としている。しかしながら、これらのハーブ類の香りは室内には十分に発散せず、香り袋に鼻を近づけて始めてそれと分かる微弱なものであった。
【０００５】
また、ハーブ類にはその香りを嗅ぐだけでなく、その成分を人体に直接接触させたり、吸収させることにより薬効が得られることも知られているが、従来のハーブボールではこのような作用が充分には得られなかった。
【０００６】
従来のハーブボールに付随していた問題点（すなわち、ハーブボールに収納されたハーブ類の香りが微弱であり、ハーブボールに鼻を近づけて始めてそれと分かるとか、従来のハーブボールを人体に接触させても、収納されたハーブ類の薬効が充分に得られないという問題点）に鑑み、特許文献１（特開平８−３０１７４４号公報）には、適度の強さのハーブ類の香りが得られ、収納されたハーブ類の薬効を得ることを目的とした香り袋として、ハーブ、又はスパイス、又はハーブ及びスパイスを、穀物と共に通気性を有する袋体内に収容したことを特徴とする香り袋が提案されている。
【０００７】
さらに、特許文献２（特開２０００−２０２０４２号公報）には、内蔵されている穀物が主に温熱媒体となり一定時間の蓄熱作用が期待でき、より長い蓄熱作用が実現できる袋体として、通気性を有すると共に絶縁性を有する袋内に、穀物とハーブ類とトルマリンからなる内容物を充填した袋体が提案されている。
【先行技術文献】
【特許文献】
【０００８】
【特許文献１】特開平８−３０１７４４号公報
【特許文献２】特開２０００−２０２０４２号公報
【考案の概要】
【考案が解決しようとする課題】
【０００９】
しかしながら、特許文献２の袋体においては、貴石として用いられることがあるトルマリンを用いているために比較的高価であり、また、使用後に袋体を廃棄しようとすると鉱物であるトルマリンが環境に悪影響を与えると言う問題がある。
【００１０】
さらに、トルマリンが、マイナスイオンを発生し精神的、肉体的にリラックス、リフレッシュさせる。その他にもトルマリンは遠赤外線を放出する、有害な電磁波を吸い取るなどと言われることがある。しかし、トルマリンからの、マイナスイオンの発生量や遠赤外線の放出量は少なく、上述の効果を生じるかについて疑問があるともいわれている。同様に、トルマリンが有害な電磁波を吸い取ることについても、疑問が呈されている。
【００１１】
本考案は、特許文献２の袋体に付随する問題点（袋体が高価である、使用後に袋体を廃棄する際に環境に悪影響を与える）がない竹繊維製リラクゼーション用袋体を提供することを目的とする。
【００１２】
さらに本考案は、竹を主成分とする布帛からなる収納袋を用いることにより、竹の有する抗菌・消臭効果が奏され、また、本考案の竹繊維製リラクゼーション用袋体を人の肌や、首筋、瞼に触れさせ、また、肩枕として使用したときに、心地好い肌触りが得られる竹繊維製リラクゼーション用袋体を提供することを目的とする。
【００１３】
本考案においては、生竹を粉状とした竹粉を、収納袋に収納しており、収納袋が人の肌に触れたときに、収納袋に収納された竹粉が全体として肌に沿う形状に変形するので、
気持ちよく感じられる竹繊維製リラクゼーション用袋体を提供することを目的とする。
【００１４】
また、本考案においては、収納袋が人の肌に触れたときに、収納された米の粒々により適度の刺激（シャリ感）が与えられ、気持ちよく感じられる竹繊維製リラクゼーション用袋体を提供することを目的とする。
【課題を解決するための手段】
【００１５】
本考案においては、上記の課題を、竹を主成分とする布帛からなる収納袋、並びに該収納袋に収納された、竹粉および米からなることを特徴とする竹繊維製リラクゼーション用袋体により、達成する。
【００１６】  本考案に用いる竹を主成分とする布帛からなる収納袋としては、例えば、特許第４３３６５６２号の方法により製造したセルロース繊維を用いたり、（公序良俗違反につき、不掲載）等の商標で販売している竹を主成分とする布帛を用いることができる。【００１７】
米としては玄米または白米を使用できるが、予め煎った玄米または白米を収納袋に収納することが好ましい。
【００１８】
本考案の竹繊維製リラクゼーション用袋体は、使用目的に応じて、適宜な形状とすることができる。例えば、人の肌に接触させて使用する際には、ボール形状としてもよい。また、首筋に接触させたり、肩枕として使用する際には、Ｕ字状形状としてもよい。さらに、瞼に触れて使用する際には、所謂アイ・ピロー形状としてもよい。その他、膝や腰、腹部等に当て易くするために座布団のような四角形形状としてもよく、安定に装着するためにベルトや紐を通すベルト通しがあることはさらによい。
【００１９】
本考案の、竹を主成分とする布帛からなる収納袋は、布帛を二重にしてもよい。布帛を二重にすることにより、静電気か一層発生し難くなり、また、抗菌・消臭効果が一層高められる。
【００２０】
さらに、本考案の収納袋には、粉状とした竹粉および米のみを収納してもよいが、粉状とした竹粉および米に加えて、ラベンダー、ローズ、カモミール等のハーブ類を加えてもよい。
【考案の効果】
【００２１】
本考案に係る竹繊維製リラクゼーション用袋体により、以下に記載するような格別な効果が奏される。
【００２２】
本考案に係る竹繊維製リラクゼーション用袋体は、竹を主成分とする布帛からなる収納袋、並びに該収納袋に収納された、竹粉および米からなっている。
【００２３】
本考案においては、竹を主成分とする布帛からなる収納袋を用いることにより、竹布の有する抗菌・消臭効果が奏され、また、本考案の竹繊維製リラクゼーション用袋体を人の肌や、首筋、瞼に触れさせ、また、肩枕として使用したときに、心地好い肌触りが得られる。
【００２４】
本考案の竹繊維製リラクゼーション用袋体は、竹を主成分とする布帛からなる収納袋が用いられているので、人の肌や、首筋に触れて使用する場合には、電子レンジや蒸し器等で加熱して使用してもよい。このように加熱して使用すると、収納袋に収納した竹粉と米に蓄熱され、暖かさが持続し、収納袋から肌や瞼を経て身体の深部まで熱が伝達される。
【００２５】
一方、本考案の竹繊維製リラクゼーション用袋体は、夏季や炎症がある首筋、瞼に触れさせ、また、肩枕として使用する場合には、冷蔵庫等で冷却して使用してもよい。この場合も、竹粉と米に冷温が蓄熱され、冷たさが持続し、収納袋から肌や瞼への冷熱の伝達がよい。
【００２６】
本考案においては、生竹を粉状とした竹粉を、収納袋に収納しており、収納袋が人の肌に触れたときに、収納袋に収納された竹粉が全体として肌に沿う形状に変形するので、
気持ちよく感じられる。
さらに本考案の竹粉を焙煎することにより、生竹中の水分が飛ばされて熱伝導性に優れ、収納袋が人の肌に触れたときに一層気持ちよく感じられる。
【００２７】
本考案においては、収納袋に米が収納されているので、収納袋が人の肌に触れたときに、収納された米の粒々により適度の刺激（シャリ感）が与えられ、気持ちよく感じられる。米粒の大きさは、大き過ぎず、小さ過ぎず、丁度良い大きさであり、石のように硬くなく、丁度良い硬さである。
【００２８】
本考案の米としては、白米でもよいが、特に、玄米を用いることにより、玄米に付着した糠等による効果が得られる。また、煎った玄米を用いることにより、収納袋が人の肌に触れたときに、収納された玄米の粒々により一層刺激（シャリ感）が与えられ好ましい。さらに、本考案に使用する白米や玄米等の米は無農薬栽培されたものが好ましい。
【図面の簡単な説明】
【００２９】
【図１】本考案に係る竹繊維製リラクゼーション用袋体の第１実施例を示す図である。
【図２】本考案に係る竹繊維製リラクゼーション用袋体の第２実施例を示す図である。
【図３】本考案に係る竹繊維製リラクゼーション用袋体の第３実施例を示す図である。
【図４】本考案に係る竹繊維製リラクゼーション用袋体の第４実施例を示す図である。
【図５】本考案に係る竹繊維製リラクゼーション用袋体の第５実施例を示す図である。
【図６】本考案に係る竹繊維製リラクゼーション用袋体の第６実施例を示す図である。
【考案を実施するための形態】
【実施例】
【００３０】
以下、添付図面に基いて本考案の具体的実施例を説明する。
（第１実施例）
図１は本考案に係る竹繊維製リラクゼーション用袋体の第１実施例を示す図である。この実施例の竹繊維製リラクゼーション用袋体１は、ボール形状をした収納袋１０からなり、収納袋１０には、竹粉および米（ともに図示せず）が収納されており、収納袋１０の竹粉および米の収納口は所謂凧糸１１のような強い紐状体で縛って、収納物が零（こぼ）れないようにしている。
【００３１】
さらに、本考案の収納袋には、粉状とした竹粉および米のみを収納してもよいが、粉状とした竹粉および米に加えて、ラベンダー、ローズ、カモミール等のハーブ類を加えてもよい。
【００３２】  本考案の収納袋１０は、竹を主成分とする布帛からなっている。竹を主成分とする布帛として、例えば、特許第４５３６５６２号の方法により製造したセルロース繊維を用いたり、（公序良俗違反につき、不掲載）が「守布」（登録商標）、「祓布」（登録商標）、「清布」（登録商標）、「和布」、「竹の心」（登録商標）、「ＴＡＫＥＦＵ」（登録商標）等の商標で販売している竹を主成分とする布帛を用いることができる。【００３３】
これらの竹を主成分とする布帛からなる収納袋１０を用いることにより、竹を主成分とする布帛の有する抗菌・消臭効果が奏され、また、本考案の竹繊維製リラクゼーション用袋体１を人の肌や、首筋、瞼に触れさせ、また、肩枕として、さらにまた、膝、腰、腹部当てに使用したときに、心地好い肌触りが得られる。
【００３４】
本考案の竹繊維製リラクゼーション用袋体１は、竹を主成分とする布帛からなる収納袋１０が用いられているので、人の肌や、首筋に触れて使用する場合には、電子レンジや蒸し器等で加熱して使用してもよい。このように加熱して使用すると、収納袋に収納した竹粉と米に蓄熱され、暖かさが持続し、収納袋から肌や瞼を経て身体の深部まで熱が伝達される。
【００３５】
本考案の、竹を主成分とする布帛からなる収納袋１０は、布帛を二重にしてもよい。布帛を二重にすることにより、静電気がより発生し難くなり、また、抗菌・消臭効果が一層高められる。
【００３６】
本考案においては、生の竹を粉状とした竹粉が収納袋１０に収納されている。本考案に用いる竹粉は、生竹を竹粉としており、収納袋が人の肌に触れたときに、収納袋に収納された竹粉が全体として肌に沿う形状に変形するので、気持ちよく感じられる。
好ましくは、竹粉を焙煎している。竹粉を焙煎することにより、生竹中の水分が飛ばされて熱伝導性が向上するとともに黴びたりすることがなく、また、熱伝導性の向上により、収納袋が人の肌に触れたときに、一層気持ちよく感じられる。
【００３７】
また、本考案においては、収納袋に米が収納されているので、収納袋１０が人の肌に触れたときに、収納された米の粒々により適度の刺激（シャリ感）が与えられ、気持ちよく感じられる。米粒の大きさは、大き過ぎず、小さ過ぎず、丁度良い大きさであり、石のように硬くなく、丁度良い硬さである。
【００３８】
本考案の米としては、白米でもよいが、特に、玄米を用いることにより、玄米に付着した糠等による効果が得られる。また、煎った玄米を用いることにより、収納袋が人の肌に触れたときに、収納された玄米の粒々により一層刺激（シャリ感）が与えられ好ましい。さらに、本考案に使用する白米や玄米等の米は無農薬栽培されたものが好ましい。
【００３９】
本考案の竹繊維製リラクゼーション用袋体１は、使用目的に応じて、適宜な形状とすることができる。例えば、人の肌に接触させて使用する際には、本考案の竹繊維製リラクゼーション用袋体１は、第１実施例に示したように、ボール形状としてもよい。また、第２実施例〜第５実施例に示すように、首筋に接触させたり、肩枕として使用する際には、Ｕ字状形状としてもよい。さらに、本考案の竹繊維製リラクゼーション用袋体１は、瞼に触れて使用する際には、所謂アイ・ピロー形状としてもよい。
（第２実施例）
図２は本考案に係る竹繊維製リラクゼーション用袋体の第２実施例を示す図である。この実施例の竹繊維製リラクゼーション用袋体１は、Ｕ字状形状とした収納袋１０からなり、首筋に接触させたり、肩枕として使用するのに適している。
【００４０】
収納袋１０には、第１実施例と同様に、竹粉および米（図示せず）が収納されており、第１実施例と同様に収納袋１０の竹粉および米の収納口は所謂凧糸１１のような強い紐状体で縛って、収納物が零（こぼ）れないようにしていてもよいし、または収納袋１０の周囲を縫って袋としてもよい。さらに、本考案の収納袋１０には、粉状とした竹粉および米のみを収納してもよいが、粉状とした竹粉および米に加えて、ラベンダー、ローズ、カモミール等のハーブ類を加えてもよい。
（第３実施例）
図３は本考案に係る竹繊維製リラクゼーション用袋体の第３実施例を示す図である。この実施例の竹繊維製リラクゼーション用袋体１は、所謂アイ・ピロー形状とした収納袋１０からなり、瞼に触れて使用する際に適している。
【００４１】
収納袋１０には、第１実施例、第２実施例と同様に、竹粉および米（図示せず）が収納されており、第１実施例と同様に収納袋１０の竹粉および米の収納口は所謂凧糸１１のような強い紐状体で縛って、収納物が零（こぼ）れないようにしていてもよいし、または収納袋１０の周囲を縫って袋としてもよい。さらに、本考案の収納袋１０には、粉状とした竹粉および米のみを収納してもよいが、粉状とした竹粉および米に加えて、ラベンダー、ローズ、カモミール等のハーブ類を加えてもよい。
（第４、第５実施例）
図４および図５は本考案に係る竹繊維製リラクゼーション用袋体１０の第４実施例、第５実施例を示す図である。これらの実施例においては収納袋１０には人体の四肢を挿入可能な中空部１５が形成されている。
【００４２】
すなわち、図４に示す第４実施例においては、収納袋をミット状形状としており、中空部１５には手指や足を挿入可能である。
【００４３】
一方、図５に示す第５実施例においては、収納袋を円筒形状をしており、中空部１５には腕や大退部やふくらはぎ部を挿入可能である。
【００４４】
収納袋１０には、第１実施例〜第３実施例と同様に、竹粉および米（図示せず）が収納されている。さらに、本考案の収納袋１０には、粉状とした竹粉および米のみを収納してもよいが、粉状とした竹粉および米に加えて、ラベンダー、ローズ、カモミール等のハーブ類を加えてもよい。
（第６実施例）
図６は本考案に係る竹繊維製リラクゼーション用袋体の第６実施例を示す図である。この実施例の竹繊維製リラクゼーション用袋体１は、座布団のような四角形形状としており、膝や腰、腹部等に当てて使用するのに適している。収納袋１０には、竹粉および米（ともに図示せず）が収納されている。
【００４５】
収納袋１０の竹粉および米の収納口は所謂凧糸のような強い紐状体で縛って収納物が零（こぼ）れないようにしてもよいし、または収納袋１０の周囲を縫って袋としてもよい。
【００４６】
さらに、本考案の収納袋１０には、粉状とした竹粉および米のみを収納してもよいが、粉状とした竹粉および米に加えて、ラベンダー、ローズ、カモミール等のハーブ類を加えてもよい。
【００４７】
さらに、収納袋１０を膝や腰、腹部等に当てた際に、収納袋１０を安定させるためにベルトや紐１６を通すベルト通し１７が設けられている。
【符号の説明】
【００４８】
１  竹繊維製リラクゼーション用袋体
１０  収納袋
１１  凧糸
１５  中空部
１６  ベルトや紐
１７  ベルト通し
【図１】
0003185667.tif 000003
【図２】
0003185667.tif 000004
【図３】
0003185667.tif 000005
【図４】
0003185667.tif 000006
【図５】
0003185667.tif 000007
【図６】
0003185667.tif 000008
【手続補正書】
【提出日】平成25年6月24日(2013.6.24)
【手続補正１】
【補正対象書類名】明細書
【補正対象項目名】００１６
【補正方法】変更
【補正の内容】
【００１６】
本考案に用いる竹を主成分とする布帛からなる収納袋としては、例えば、特許第４３３６５６２号の方法により製造したセルロース繊維を用いた布帛を用いることができる。
【手続補正２】
【補正対象書類名】明細書
【補正対象項目名】００３２
【補正方法】変更
【補正の内容】
【００３２】
本考案の収納袋１０は、竹を主成分とする布帛からなっている。竹を主成分とする布帛として、例えば、特許第４３３６５６２号の方法により製造したセルロース繊維を用いたり、「守布」（登録商標）、「祓布」（登録商標）、「清布」（登録商標）、「和布」、「竹の心」（登録商標）、「ＴＡＫＥＦＵ」（登録商標）等の商標で販売されている竹を主成分とする布帛を用いることができる。